(57)【要約】【課題】場所を取らない、電力を使わず簡単な構成でより高い圧縮ができる、かつ圧縮時に発生する排気に臭いや菌やカビ等を含んだ空気が含まれないゴミ圧縮機能付き椅子を提供する。【解決手段】    本発明のゴミ圧縮装置は、椅子の下のスペースをゴミ箱とすることで、ゴミ箱としての占有スペースをとらない。椅子に座った人の体重で、ゴミ箱を圧縮することで、嵩を減らす。ゴミ箱を圧縮する際に発生する排気をゴミ箱下に一端滞留させる空間を設けて、その空間に消臭、殺菌する手段も設けることで、衛生的に、ゴミの嵩を減らせる構造にした。【選択図】図１
2015113235.tif 000002
【特許請求の範囲】
【請求項１】
少なくとも、椅子の座面と座面支持部とこれらを支える脚元からなり、座面の高さを変更できる機構を備えており、座面と脚元の間の空間に、少なくとも座面と脚元方向に伸縮可能なゴミ箱または空間を備え、座面が下がることで、該ゴミ箱または空間の容積が減少するように構成されたことを特徴とするゴミ圧縮機能付き椅子。
【請求項２】
請求項１において、座面がゴミ箱の蓋であり、座面支持部が強度を持たせたゴミ箱であることを特徴とするゴミ圧縮機能付き椅子。
【請求項３】
請求項１または請求項２に加えて、ゴミ箱と連結したチャンバーがあり、このチャンバーの空気を消臭、または且つ殺菌をする手段を備えることを特徴とするゴミ圧縮機能付き椅子。
【請求項４】
座面の高さを変更できる機構を備えた椅子の座面と脚元の空間に配置できる構造をもち、座面を下げることによって、圧縮力が加わり、縮まるように構成した伸縮可能なゴミ箱。
【発明の詳細な説明】
【技術分野】
【０００１】  本発明は、ゴミの圧縮機能を持つ椅子に関するものである。
【背景技術】
【０００２】  家庭において、生活から出るゴミは近年、分別回収が進んで、燃えるゴミと燃えないゴミ、瓶、缶、ペットボトル、発砲スチロールトレー等に各家庭で分別し、リサイクルできるものはリサイクルに回されるようになってきた。このうち、燃えるゴミは最も嵩が多く、頻繁に回収されている。自治体によっては販売されたゴミ専用袋に入れないと回収してもらえないところも多く、この嵩を少しでも少なくできれば、ゴミ専用袋を使用する量も減らすことが出来る。そのため、家庭内で使用できるような嵩を減らすことができるゴミ圧縮装置として、電動の圧縮装置や、手動のトリガー式圧縮レバーで圧縮するゴミ圧縮機等が商品化されている。【０００３】  これらの装置は、装置として、専用の置き場所が必要、手動では十分な圧縮力を得られない。また、圧縮時に臭いや菌やカビ等を含んだ空気が装置から排出される等の問題がある。【０００４】  この改善策として、電動化による高圧縮力発生や、空気をイオン化する装置を備えた商業用装置が販売されている。【０００５】  しかし、通常、家庭においては、場所を取らず、できるだけ、高い圧縮ができて、圧縮時に発生する排気に臭いや菌やカビ等を含んだ空気が含まれないゴミ圧縮装置が必要とされている。
【先行技術文献】
【特許文献】
【０００６】
【特許文献１】特許公開２０１３−０３９５９９
【特許文献２】特許公開２０００−１４０７９８
【特許文献３】特許公開平０７−３００２０４
【特許文献４】実用新案公開平６−２３９０６
【特許文献５】登録実用新案第３０４１８７０号
【発明の概要】
【発明が解決しようとする課題】
【０００７】  解決しようとする問題点は、出来るだけ場所を取らないこと。電力を必要とせず、より高い圧縮ができること。圧縮時に発生する排気に臭いや菌やカビ等を含んだ空気が含まれないゴミ圧縮装置であること。
【課題を解決するための手段】
【０００８】  本発明は、場所を取らず、電力無しに、より高い圧縮力を発生して、ゴミの嵩を減らし、できれば、圧縮時に発生する排気に臭いや菌やカビ等を含んだ空気が含まれない構造のゴミ圧縮装置を提供することを最も主要な特徴とする。
【発明の効果】
【０００９】    本発明のゴミ圧縮装置は、椅子の座面下のスペースをゴミ箱とすることで、ゴミ箱としての占有スペースをとらない。椅子に座った人の体重で、ゴミ箱を圧縮することで、嵩を減らす。ゴミ箱を圧縮する際に発生する排気を一端滞留させる空間を設けて、その空間に消臭、殺菌する手段も設けることで、衛生的に、ゴミの嵩を減らせるという利点がある。
【図面の簡単な説明】
【００１０】
【図１】図１は本発明の一実施例の全体図である。
【図２】図２は本発明の一実施例で、蓋を開けた状態を示した全体図である。
【図３】図３は本発明の一実施例で、人が椅子に座り、昇降レバーを動かして、下位置にある全体図である。
【図４】図４は通常の昇降椅子に圧縮機能つきゴミ箱を組み込んだ図。
【図５】図５は図４の構成で、ゴミを入れる状態を示す。
【図６】図６は図４の構成で、ゴミを圧縮した状態を示す。
【図７】図７は座面部に強度をもたせたゴミ箱からなる他の実施例を示す。
【発明を実施するための形態】
【００１１】  椅子の下のスペースに伸縮可能なゴミ箱を配置し、通常は座面を上げた状態で椅子として用いる。座面を上蓋として、ゴミ箱の蓋を兼ねる。ゴミがゴミ箱一杯になったら、椅子に座り、昇降レバーで、座面の固定を解除して、かかる体重で座面を下げ、ゴミ箱内のゴミを圧縮させて、嵩を減らす構造とした。この時にゴミ箱から排出される空気を一時的に貯める空間に排気を移し、この空間で、消臭、殺菌をする。
【実施例】
【００１２】  図１は、実施例全体を示す、一部断面の全体図である。【００１３】  具体的に説明する。図１は本発明の一実施例の全体図である。１は圧縮機能付き椅子全体の部分断面を示す。２は座面を兼ねる蓋で、２１は蓋の座部、２２はフック、２３は両側に張り出した揺動軸である。３は座面基部で、３１は背もたれ、３２は横に長穴の揺動軸受けで、揺動軸２３を回動自在に両側で受けている。３３は座面ベースである。上記蓋２と座面基部３をあわせて、座面となる。フック２２は座面基部３に引掛けて下に圧力をかける時、蓋が反力で開かない機能を持つ。【００１４】  ４は座面支持部で、４１は昇降レバーで、４２は支柱であり、４３はダンパーである。支柱４２の上面と座面ベース３３は強固に連結されている。座面支持部４は昇降レバー４１を動かすことで、支柱４２とダンパー４３への勘合長さを変えることができる構造である。５は伸縮自在のゴミ箱を示す。５１は上筒で、５２は中筒で、５３は下筒である。これらはほぼ同軸上に有り、上下方向には重なることで、伸縮自在であり、伸びた状態でもオーバーラップ部がある構造になっている。５４は後述するチャンバーと空気が移動可能な連結管である。上筒５１は座面基部３と一体である。下筒５３は底部が後述する脚元に固定されている。【００１５】  ６は脚元である。６１は脚元のベースで、６２はキャスターである。脚元ベース６１と座面支持部４のダンパー４３と強固に固定されている。７はチャンバー部で、脚元６内に配置されている。７１はチャンバーで、７２は排気口である。８はゴミ回収袋で、９は収納されるゴミである。【００１６】  次に、図２、図３で作用を説明する。図２は蓋２を開いた状態で、ゴミ９を投入する場合を示す。そのために、まず、蓋２を開く。揺動軸２３は揺動軸受け３２の長穴を移動できることで、フック２２を座面基部３から引掛かりを解消するようずらしその後、背もたれ３１側に揺動させもたれかけさせて、蓋２を開いた状態にする。【００１７】  通常は、椅子として用いるが、ゴミが出た場合はゴミ箱５に投入する。ゴミ９でゴミ箱５内のゴミ回収袋８がほぼ満杯になったら、蓋２を閉じ、フック２２が座面時部３に引っ掛った状態で、図３のように人が椅子に座り、足を上げて全体重をのせながら、昇降レバー４１を動かし、座面を下げる。【００１８】  蓋２の裏面にてゴミ９に体重を掛けることで、圧縮する。この時側面にゴミが膨らもうとするが、ゴミ箱５の円筒面に抑えられ、側面には膨らまず、下に圧縮され、容積が減る。そのため、椅子の高さを元に戻しても、圧が解放されることで容積は多少膨らんでも、上部にはまたゴミを入れられるスペースが生まれる。【００１９】  圧縮される時、ゴミ箱５内の空気は連結管５４を通り、チャンバー７１に一端溜まり、圧力が高まった分だけ、排気口７２より外に排出される。【００２０】  チャンバー７１内には図示しない、オゾン発生装置や空気清浄機等または、アルコール等の殺菌液を噴霧したり、殺菌液を満たしたＵ字状配管内を排出される空気が通過するような構造等を配置して、排気の脱臭、殺菌をする。【００２１】  図４は通常の高さ調整可能な椅子に取り付けて、圧縮する構造のゴミ箱である。番号は前の実施例と���じ機能のものはそのまま用いている。１０は座部２１に固定されるゴミ箱の蓋であり、ゴミ箱５の上筒５１を保持するとともに、圧力を加える手段でもある。１１はゴミ箱受け部であり、ダンパー４３の固定側に伸縮方向には抑えられ、回転方向には支柱４２に保持されている。１２は揺動支点であり、ゴミ箱を支柱４２と反対側にゴミ箱５が揺動して、ゴミ９を投入できるように傾けられる。このとき、ゴミ箱５は上筒５１、中筒５２、下筒５３間の摩擦を上げて自立している。また、ゴミ箱５を圧縮する力か加わった時、その圧力を受ける部分でもある。【００２２】  図５、図６も加えて作用の説明をする。図５はゴミ箱５を少し手で縮めてから、ゴミ箱５を支柱４２と反対側に揺動支点１２を軸に揺動して、ゴミ９を投入できるように傾けている。その後一端図５の位置関係にゴミ箱５を戻す。図６は人が椅子に座り、足を上げて全体重をのせながら、昇降レバー４１を動かし、座面を下げる。ゴミ箱受け部１１の裏面にてゴミ９に体重を掛けることで、圧縮する。このゴミ箱５は座面に対し、円筒直径はあまり大きくとれないぶん、圧縮圧が大きくなるので、より嵩を減らすことができる。【００２３】  人が椅子から降りて、昇降レバー４１を動かすことで、ダンパーのスプリングにより座面は上昇する。その結果、ゴミ９への圧が解放されるので容積は多少膨らんでも、上部にはまたゴミを入れられるスペースが生まれる。【００２４】  圧縮される時、ゴミ箱５内の空気は連結管５４を通り、チャンバー７１に一端溜まり、圧力が高まった分だけ、排気口７２より外に排出される。前例と同様に、排気の脱臭、殺菌をする。【００２５】  図７は座面支持部が強度を持たせたゴミ箱であることを特徴とするゴミ圧縮椅子を示す。１３はストッパーである。ゴミ箱５の上筒５１および中筒５２が下がるのをストッパー１３がそれぞれ、中筒５２下筒に貫通してゴミ箱５が縮むのを防止している。ゴミを圧縮するストッパー１３ストッパー１３を抜く。その後人が椅子に座ることで、ゴミ箱５を縮めて、ゴミ９を圧縮することができる。
【産業上の利用可能性】
【００２６】  このようにして、椅子のスペース内で、椅子に人が座る時の体重を利用して、ゴミを圧縮することにより、複雑な構造も無しに、電力等も用いらず、ゴミ嵩を減らすことが可能となるとともに、ゴミ箱内から発生する臭いや、細菌、カビ等の飛散も防止することができる。【００２７】  伸縮できるゴミ箱は、実施例では３段の略円筒状のもので説明したが、２段であってもよい。形状としては円錐台や多角形の筒であってもよいし、構造体としては、蛇腹やたけのこバネ状の円筒体やコイルばねと一体になった布やビニールで作られた底付き円筒状のものでもよい。
【符号の説明】
【００２８】１            圧縮機能付き椅子
２            蓋
２１          座部
２２          フック
２３          揺動軸
３            座面基部
３１          背もたれ
３２          揺動軸受け
３３          座面ベース
４            座面支持部
４１          昇降ロックレバー
４２          支柱
４３          ダンパー
５            ゴミ箱
５１          上筒
５２          中筒
５３          下筒
５４          連結管
６            脚元
６１          脚元のベース
６２          キャスター
７            チャンバー部
７１          チャンバー
７２          排気口
８            ゴミ回収袋
９            ゴミ
１０          蓋
１１          ゴミ箱受け部
１２          揺動支点
１３          ストッパー
【図１】
2015113235.tif 000003
【図２】
2015113235.tif 000004
【図３】
2015113235.tif 000005
【図４】
2015113235.tif 000006
【図５】
2015113235.tif 000007
【図６】
2015113235.tif 000008
【図７】
2015113235.tif 000009